(57)【要約】【課題】焼き付きを生じうる表示デバイスを表示部として有する場合に、当該表示部に焼き付きを起こさず、かつ画像の視認性を損なわずに画像を表示させる携帯電子機器を提供する。【解決手段】携帯電話１００では、テレビ放送を表示部７が表示する際の表示形態の設定が予め全画面表示形態に設定されていた場合に、表示部７の輝度設定が所定の輝度以上であった場合には、ユーザによって予め設定された輝度よりも１段階上の輝度でテレビ放送の表示を行う。【選択図】図４
2008242079.tif 000002
【特許請求の範囲】
【請求項１】
複数の表示素子を有し、当該複数の表示素子ごとの発光状態を制御することにより表示を行う表示部と、
映像情報を取得する映像情報取得部と、
前記表示部に、前記映像情報に基づく画面を表示させる制御を行う制御部と、
前記表示部の表示輝度を設定可能な操作部と、
前記表示部が前記映像信号を表示する際に、前記映像情報のみを表示する第１表示モードと、前記映像情報と当該映像情報に関連する付加情報とをともに表示する第２表示モードと、のいずれのモードで表示するか、を示す情報である表示設定情報を記憶する記憶部と、
を有し、
前記制御部は、
前記映像情報を前記表示部に表示させる際に、前記記憶部に記憶された前記表示設定情報を参照してどちらのモードであるかを判定し、前記第２表示モードであった際には、前記操作部によって設定された輝度にて表示を行わせ、前記第１表示モードであった際には前記操作部によって設定された輝度よりも明るい輝度にて表示を行わせる
ことを特徴とする携帯電子機器。
【請求項２】
前記操作部は、複数の段階の表示輝度を設定可能であり、
前記制御部は、前記映像信号を前記表示部に前記第１表示モードで表示させる際にも、所定の段階以上の表示輝度に設定されていた場合は、前記操作部によって設定された輝度にて表示を行わせる
ことを特徴とする請求項１に記載の携帯電子機器。
【請求項３】
前記制御部に電源供給を行う電源部と、
当該電源部が充電状態であるか否かを検知する充電検知部とをさらに有し、
前記制御部は、前記充電検知部により充電状態であると検知されていた場合には、前記第１表示モードで表示させる際にも、前記操作部によって設定された輝度にて表示を行わせる
ことを特徴とする請求項１または２に記載の携帯電子機器。
【請求項４】
前記表示部が配された一面を有する第１筐体と、
前記操作部が配された一面を有する第２筐体と、
をさらに有し、
前記第１筐体及び前記第２筐体は、
前記第１筐体の前記表示部が配された一面と前記第２筐体の前記操作部が配された一面とが対向するように折り畳まれた第１状態と、
前記第１筐体の前記表示部が配された面の背面と前記第２筐体の前記操作部が配された一面とが対向するように折り畳まれ、前記第１筐体の前記表示部が配された一面が外部に露出した第２状態と、
前記第１筐体と前記第２筐体とが開かれた第３状態と、
の３つの状態を互いに遷移可能に連結され、
前記制御部は、前記表示部に前記映像信号を表示させる際に、前記第１筐体及び前記第２筐体が前記第３状態であった場合には、前記表示設定情報にかかわらず、前記第２表示モードで表示させる
ことを特徴とする請求項１から３のいずれか一項に記載の携帯電子機器。
【請求項５】
前記付加情報は、前記映像情報取得部により前記映像情報と共に取得される、あるいは前記映像情報取得部の設定に応じて前記通信部により取得される
ことを特徴とする請求項１から４のいずれか一項に記載の携帯電子機器。
【請求項６】
前記付加情報は、前記操作部の、前記映像情報取得部に対する操作の内容を表示する操作情報を含む
ことを特徴とする請求項５に記載の携帯電子機器。
【発明の詳細な説明】
【技術分野】
【０００１】
本発明は、特に、焼き付きを生じうる表示デバイスを表示部として有する携帯電話に用いて好適な、携帯電子機器に関するものである。
【背景技術】
【０００２】
近年、携帯電話において、地上アナログ放送や１セグメント（ワンセグ）放送等のテレビ放送を受信できるものが増えてきている。ワンセグ放送とは、「携帯電話・移動体端末向けの１セグメント部分受信サービス」の略称であり、携帯電話等の携帯電子機器を対象とする地上デジタルテレビジョン放送である。
しかし、テレビ放送は一般に横長の画面である（例えばワンセグ放送の解像度は３２０×１８０）。携帯電話の画面は一般的に縦長であり、横長のテレビ放送を好適に表示させるためには、テレビ放送を縮小して表示させたり、携帯電話の画面を横向きに使用してテレビ放送を表示させたりする必要がある。
特許文献１には、画面を含む筐体を横向きに変化させることにより、横長コンテンツの再生時には横長画面で好適に表示する折り畳み型携帯電話機が開示されている。
【０００３】
ところで、現在では、携帯電話の表示デバイスは液晶ディスプレイ（ＬＣＤ：Liquid Crystal Display）が主流となって普及しているが、ＬＥＤはバックライトを必要とするために消費電力が大きく、内蔵電源（充電池）等で駆動するため使用できる電力量に限りがある携帯電話としては、より消費電力の小さい表示デバイスを採用したい、という要請があった。
【０００４】
ＬＣＤに代わる表示デバイスとして、近年では有機ＥＬ（以下、ＯＬＥＤ（Organic Light-Emitted Diode）と称する）が注目され、ＬＣＤが持つ高解像度、薄型軽量の特徴と、ＣＲＴ（Cathode Ray tube）ディスプレイが持つ高コントラスト、広視野角の特徴とを合わせ持つ新たな表示デバイスとして採用が検討されるようになっている。
【０００５】
ＯＬＥＤは、ＣＲＴディスプレイやプラズマディスプレイ同様、自発光型の表示デバイスであり、ガラス基板上にＩＴＯ（Indium Tin Oxide）からなるアノード電極が形成され、その上に、ホール輸送層、発光層、電子輸送層からなる有機層と、金属電極とからなるカソード電極が形成されている。
ＬＣＤは、輝度がバックライトにより液晶パネルに入射される光量で制御されるのに対し、ＯＬＥＤは、有機層に流れる電流により制御されるため、発光していない部分は完全に黒表示となりコントラストが非常に高いという特徴を持つ。
【０００６】
ＯＬＥＤの各素子は、単色で緑色、青色、赤色等の色に発光し、これら一式を有する画素が多数並ぶことによりフルカラーの表示が可能なディスプレイを作成することができる。ところが、ＯＬＥＤの各素子は、有機物に通電して色を変化させているために、表示の行われる時間、すなわち有機物に通電した時間に比例して、有機物が劣化し、素子の発光輝度が低下してしまう可能性がある。
このため、有機物の劣化から素子単位で輝度の劣化が発生し、表示の焼き付きと呼ばれる現象が生じる。具体的には、同一の画素に高い輝度で同じ色の発光を長時間行わせた場合には当該画素における発光表示素子の有機物が劣化して当該素子の発光輝度が低下してしまう現象を焼き付きと称する。焼き付きが生じてしまうと、焼き付きを起こした画素と隣接する画素とで同一色を表示させているにもかかわらず色合いが異なってしまう。
【０００７】
そこで、上記した焼き付き現象の対策を施した端末が種々提案されている（例えば特許文献２〜５参照）。
特許文献２には、データ表示の表示速度を設定し、設定された速度で画像を表示させる無線通信端末が開示されている。
特許文献３には、外部電源の接続を検知したときに表示の反転表示と非反転表示の切換えを行う表示装置が開示されている。
特許文献４には、表示エリアを複数に分割して時間に応じて表示エリアを変更する端末装置が開示されている。
特許文献５には、ＲＧＢ各発光素子のうち、発光輝度の経時的劣化速度が大きい素子に対応する色ほど、画像の白表示部を構成するＲＧＢ比率が小さくなるように、計算により画像の白表示の色度座標を決定する携帯型電話機が開示されている。
【特許文献１】特開２００３−３１９０４３号公報
【特許文献２】特開２００２−２６８６０１号公報
【特許文献３】特開２００３−１８６４３４号公報
【特許文献４】特開２００３−２２３１６０号公報
【特許文献５】特開２００３−２８０５８８号公報
【発明の開示】
【発明が解決しようとする課題】
【０００８】
ＯＬＥＤを表示画面として有する携帯電話においてテレビ放送を表示させる場合等、動画が表示される場合には、特定の位置の画素が長時間同じ表示を続けるような事態は考えられにくいため、静止画表示の場合と比較してＯＬＥＤの焼き付きについてはそれほど危惧する必要は無い。しかし、ＯＬＥＤにワンセグ放送を表示させる場合、図１に示すように、画面を横向きにして画面全体でテレビ放送画面を表示する全画面表示（図１（ａ））と、画面を横向きにして分割し、テレビ放送画面と、放送局やチャンネル、番組名等の情報を表示する情報欄とを表示する横長分割表示（図１（ｂ））と、画面を縦長のまま使用し、テレビ放送画面と情報欄とを表示する縦長分割表示（図１（ｃ））等複数の表示形態が考えられる。
【０００９】
図１（ａ）に示した全画面表示においては、ＯＬＥＤの画面全体に動画が表示されているため、上述したように焼き付きについてはそれほど危惧する必要は無い。しかし、図１（ｂ）に示した横長分割表示及び図１（ｃ）に示した縦長分割表示においては、情報欄においてチャンネル表示や放送局表示部分、或いはテレビ放送部分の画素では動画が表示されているために、表示色の変化が頻繁に生じるために焼き付きを起こしにくいが、情報欄部分の画素においては、背景色が特定の色に固定されているため、テレビ放送部分と情報欄部分では背景の画素がテレビ放送視聴中に何時間も同じ色を表示し続けるため、表示当該部分の画面が焼き付きを起こしてしまうことがあり、テレビ放送部分と情報欄表示部分との境界線において、互いの画素間で表示能力に差が生じるという不利益がある。
【００１０】
本発明は、上述した不利益を解消するために、焼き付きを生じうる表示デバイスを表示部として有する場合に、当該表示部に焼き付きを起こさず、かつ画像の視認性を損なわずに画像を表示させる携帯電子機器を提供することを目的とする。
【課題を解決するための手段】
【００１１】
上述した目的を達成するために、第１の発明の携帯電子機器は、複数の表示素子を有し、当該複数の表示素子ごとの発光状態を制御することにより表示を行う表示部と、映像情報を取得する映像情報取得部と、前記表示部に、前記映像情報に基づく画面を表示させる制御を行う制御部と、前記表示部の表示輝度を設定可能な操作部と、前記表示部が前記映像信号を表示する際に、前記映像情報のみを表示する第１表示モードと、前記映像情報と当該映像情報に関連する付加情報とをともに表示する第２表示モードと、のいずれのモードで表示するか、を示す情報である表示設定情報を記憶する記憶部と、を有し、前記制御部は、前記映像情報を前記表示部に表示させる際に、前記記憶部に記憶された前記表示設定情報を参照してどちらのモードであるかを判定し、前記第２表示モードであった際には、前記操作部によって設定された輝度にて表示を行わせ、前記第１表示モードであった際には前記操作部によって設定された輝度よりも明るい輝度にて表示を行わせる。
【００１２】
好適には、前記操作部は、複数の段階の表示輝度を設定可能であり、前記制御部は、前記映像信号を前記表示部に前記第１表示モードで表示させる際にも、所定の段階以上の表示輝度に設定されていた場合は、前記操作部によって設定された輝度にて表示を行わせる。
【００１３】
好適には、前記制御部に電源供給を行う電源部と、当該電源部が充電状態であるか否かを検知する充電検知部とをさらに有し、前記制御部は、前記充電検知部により充電状態であると検知されていた場合には、前記第１表示モードで表示させる際にも、前記操作部によって設定された輝度にて表示を行わせる。
【００１４】
好適には、前記表示部が配された一面を有する第１筐体と、前記操作部が配された一面を有する第２筐体と、をさらに有し、前記第１筐体及び前記第２筐体は、前記第１筐体の前記表示部が配された一面と前記第２筐体の前記操作部が配された一面とが対向するように折り畳まれた第１状態と、前記第１筐体の前記表示部が配された面の背面と前記第２筐体の前記操作部が配された一面とが対向するように折り畳まれ、前記第１筐体の前記表示部が配された一面が外部に露出した第２状態と、前記第１筐体と前記第２筐体とが開かれた第３状態と、の３つの状態を互いに遷移可能に連結され、前記制御部は、前記表示部に前記映像信号を表示させる際に、前記第１筐体及び前記第２筐体が前記第３状態であった場合には、前記表示設定情報にかかわらず、前記第２表示モードで表示させる。
【００１５】
好適には、前記付加情報は、前記映像情報取得部により前記映像情報と共に取得される、あるいは前記映像情報取得部の設定に応じて前記通信部により取得される。
【００１６】
好適には、前記付加情報は、前記操作部の、前記映像情報取得部に対する操作の内容を表示する操作情報を含む。
【発明の効果】
【００１７】
本発明によれば、焼き付きを生じうる表示デバイスを表示部として有する場合に、当該表示部に焼き付きを起こさず、かつ画像の視認性を損なわずに画像を表示させる携帯電子機器を提供することができる。
【発明を実施するための最良の形態】
【００１８】
以下、本発明の携帯電子機器の一例として、携帯電話１００について説明する。
図２は、携帯電話１００の内部構成の一例を示すブロック図である。
図２に示すように、携帯電話１００は、通信部１と、テレビ放送受信部２と、操作部３と、音声処理部４と、スピーカ５と、マイク６と、表示部７と、記憶部８と、電源部９と、制御部１０とを有する。
【００１９】
図３は、携帯電話１００の外観の一例を示す図である。
図３に示すように、携帯電話１００は、上部筐体１０１と下部筐体１０２とがヒンジ部１０３によって開閉可能に接続されている。
上部筐体１０１が本発明の第１筐体に、下部筐体１０２が本発明の第２筐体に、それぞれ対応している。
図３（ａ）は携帯電話１００の筐体が開かれた状態を、図３（ｂ）および（ｃ）は携帯電話１００の筐体が閉じられた状態を示している。
上部筐体１０１は、スピーカ５及び表示部７を有する。
下部筐体１０２は、操作部３及びマイク６を有する。
ヒンジ部１０３は２軸ヒンジ構造を有しており、携帯電話１００の閉じられた状態においては、スピーカ５及び表示部７が外部に露出されない状態（図３（ｂ））とスピーカ５及び表示部７が外部に露出される状態（図３（ｃ））の２種類の形態をとることができる。以下では、スピーカ５及び表示部７が外部に露出されない状態（図３（ｂ））を単にクローズ状態、スピーカ５及び表示部７が外部に露出される状態（図３（ｃ））をターンクローズ状態と称する。
なお、携帯電話１００の開いた状態においても、スピーカ５及び表示部７が配された上部筐体１０１の一面と、操作部３及びマイク６が存在する下部筐体１０２の一面とがほぼ同一の方向を向いている状態（図３（ａ））と、スピーカ５及び表示部７が配された上部筐体１０１の一面がターンしており、操作部３及びマイク６が存在する下部筐体１０２の一面とほぼ逆の方向を向いている状態（図省略）との２種類の状態が存在するが、これらの状態をまとめてオープン状態と称する。
なお、クローズ状態が本発明の第１状態に、ターンクローズ状態が本発明の第２状態に、オープン状態が本発明の第３状態に、それぞれ対応している。
【００２０】
通信部１は、複数の通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
テレビ放送受信部２は、図示しない放送局から送信されたテレビ放送信号を受信する。本実施形態においては、テレビ放送はワンセグ放送等のデジタルテレビ放送を想定しており、テレビ放送信号には、映像信号、音声信号、文字データが含まれる。テレビ放送受信部２は、本発明の映像信号取得部に対応しており、映像信号は本発明の映像情報に、文字データは本発明の付加情報にそれぞれ対応している。
【００２１】
操作部３は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１０に入力する。
音声処理部４は、スピーカ５から出力される音声信号やマイク６において入力される音声信号の処理を行う。すなわち、マイク６から入力される音声を増幅し、アナログ／デジタル変換を行い、更に符号化等の信号処理を施し、デジタルの音声データに変換して制御部１０に出力する。また、制御部１０から供給される音声データに復号化、デジタル／アナログ変換、増幅等の信号処理を施し、アナログの音声信号に変換してスピーカ５に出力する。また、音声処理部４は、テレビ放送受信部２が受信したテレビ放送の音声信号を信号処理し、スピーカ５等から出力する。音声処理部４は、図２に図示しない端子に接続されたヘッドホンやイヤホン等から音声の出力をさせても良い。
【００２２】
表示部７は、本実施形態では、有機ＥＬ（Electro-Luminescence）パネルを用いて構成されており、制御部１０から供給される映像信号に応じた画像を表示する。例えば、発信時における発信先の電話番号、着信時における発信元の電話番号、受信メールや送信メールの内容、日付、時刻、バッテリ残量、発信成否、待ち受け画面、テレビ放送受信部２が受信したテレビ放送の映像や文字データ等の各種情報や画像を表示する。
表示部７は、操作部３への操作に応じて予め設定された輝度設定に応じて表示を行う。輝度設定には、例えば「輝度１」から「輝度１０」までの１０段階の設定があり、表示部７は、輝度設定の段階に応じて表示させる際の輝度を変化させ、輝度１に設定されている際には最も暗く表示し、輝度１０に設定されている際には最も明るく表示する。輝度設定は、例えば後述する記憶部８等に記憶されている。また、「輝度１」等、輝度設定に関する語句は一例であり、他の語句であっても良い。なお、輝度設定は記憶部８に記憶されており、その設定において、ＯＬＥＤを使用した表示部７の焼き付きを防止するべく、輝度は低めに設定されている。
【００２３】
また、表示部７は、テレビ放送受信部２が受信したテレビ放送信号やテレビ放送に関連付けられてともに受信される文字データ等（付加情報）を表示する際には、図１に示したように複数の表示形態で表示を行う。例えば予めユーザの操作部３を介した操作等により予め設定された表示形態で表示を行う。予め設定された表示形態に関する情報は記憶部８に記憶される。
以下、図１（ａ）を、画面を横向きにして画面全体でテレビ放送画面を表示する全画面表示形態、図１（ｂ）を、画面を横向きにして分割し、テレビ放送画面と、現在表示中の放送局やチャンネル、番組名等の情報を表示する付加情報欄とを表示する横長分割表示形態、図１（ｃ）を、画面を縦長のまま使用し、テレビ放送画面と付加情報欄とを表示する縦長分割表示形態と称する。図１（ａ）に示す全画面表示形態においては、表示部７は映像画面２００のみを表示するが、図１（ｂ）に示す横長分割表示形態においては、表示部７は映像画面２０１と文字データ表示欄２１０とを表示する。図１（ｃ）に示す縦長分割表示形態においても、表示部７は横長分割表示形態と同様に映像画面２０２と文字データ表示欄２１１、さらに表示中の放送に関連する操作（番組情報取得など）の操作をガイダンスする操作情報表示欄２１２とを表示する。
なお、図１（ａ）に示す全画面表示形態が本発明の第１表示モードに、図１（ｂ）及び（ｃ）に示す横長或いは縦長分割表示形態が本発明の第２表示モードに対応している。
【００２４】
記憶部８は、携帯電話１００の各種処理に利用される各種データを記憶する。例えば、制御部１０に備わるコンピュータのプログラム、通信相手の電話番号や電子メールアドレス等の個人情報を管理するアドレス帳、着信音やアラーム音を再生するための音声ファイル、待ち受け画面用の画像ファイル、各種の設定データ、プログラムの処理過程で利用される一時的なデータなどを保持する。なお、上記した記憶部８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。また、記憶部８は、表示部７の表示時の輝度設定情報、テレビ放送を表示する際の表示形態についての設定情報を記憶する。
【００２５】
電源部９は、携帯電話１００の各構成に電力を供給するための電力供給デバイスである。電源部９は、例えば、リチウムイオン２次電池等の蓄電池を含んで構成される。電源部９は、その電池残量が少なくなってきた場合等、ユーザにより外部の電源と接続され、充電を行うことが可能である。電源部９は、充電中であるか否かを検知する充電検知部９１をさらに有する。充電検知部９１は、電源部９に対して外部の電源より充電がなされている場合は、これを検知し、後述する制御部１０に対してこれを通知する。
【００２６】
制御部１０は、携帯電話の全体的な動作を統括的に制御する。すなわち、携帯電話の各種の処理（回線交換網を介して行われる音声通話、電子メールの作成と送受信、インターネットのＷｅｂサイトの閲覧など）が操作部３の操作に応じて適切な手順で実行されるように、上述した各ブロックの動作（通信部１における信号の送受信、音声処理部４における音声の入出力、表示部７における画像の表示など）を制御する。
制御部１０は、記憶部８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部８に格納されるオペレーティングシステムやアプリケーションプログラム等のプログラムから命令コードを順次読み込んで処理を実行する。
【００２７】
制御部１０は、携帯電話１００の筐体の状態を検出し、予め設定していた表示設定にかかわらず表示部７の表示形態を、筐体の状態に応じて変更する。すなわち、制御部１０は、筐体がオープン状態（図３（ａ））である場合には、ユーザが縦状に携帯電話１００を保持していることを想定して（例えば直前にユーザによって「全画面表示形態」に表示状態を切り換えていたとしても）、表示部７にテレビ放送を縦長分割表示形態で表示させる。また、ターンクローズ状態（図３（ｃ））である場合には、携帯電話１００が横向きに保持されていることを想定し、テレビ放送を全画面表示形態或いは横長画面分割形態のいずれかで（例えば予め横長画面分割形態に切り換えられていなかった場合には全画面表示形態で、予め横長画面分割形態に切り換えられていた場合のみ横長画面分割形態で）表示させる。
また、制御部１０は、表示部７が各種表示を行う際に、その表示画面の輝度の調節処理を行う。特に、制御部１０は、テレビ放送受信部２が受信したテレビ放送信号を表示部７が表示する際には、表示部７の表示形態に応じた輝度調節処理を行う。
【００２８】
以下、表示部７にテレビ放送を表示する時の、表示形態に応じた制御部１０の輝度調節処理について説明する。
図４は、表示部７のテレビ放送表示時の制御部１０の輝度調節処理を説明するためのフローチャートである。
なお、図４に示すフローチャートでは、「輝度１」から「輝度１０」までの１０段階の輝度設定がなされている場合を想定している。
ステップＳＴ１：
ユーザの操作部３を介した操作等に応じて、制御部１０はテレビ放送を視聴するための処理を開始する。具体的には、制御部１０はテレビ放送受信部２が受信した映像信号や音声信号にデコード等の処理を行い、表示部７にデコードされた映像信号を、音声処理部４に音声信号を出力する。
ステップＳＴ２：
充電検知部９１は、電源部９が充電状態であるか否かの判定を行い、充電中で無い場合はステップＳＴ３に進み、充電中であった場合はステップＳＴ８に進む。
【００２９】
ステップＳＴ３：
表示部７のテレビ放送表示時の表示形態設定が全画面表示（図１（ａ））である場合はステップＳＴ４に進み、そうでない場合（横長分割表示形態（図１（ｂ））及び縦長分割表示形態（図１（ｃ）））つまり、付加情報表示を有する場合はステップＳＴ８に進む。
ステップＳＴ４：
制御部１０は、携帯電話１００の筐体の状態を検出し、ターンクローズ状態であった場合はステップＳＴ５に、オープン状態であった場合はステップＳＴ８に進む。
【００３０】
ステップＳＴ５：
制御部１０は、記憶部８に記憶された表示部７の輝度設定情報を参照する。
ステップＳＴ６：
輝度設定が所定の輝度以上、例えば「輝度６」以上であった場合は、ステップＳＴ９に進み、所定の輝度未満、例えば「輝度５」未満であった場合は、ステップＳＴ７に進む。
【００３１】
ステップＳＴ７：
制御部１０は、表示部７に予め設定され記憶部８に記憶された設定輝度の１段階上の輝度でテレビ放送の表示を行わせる。
ステップＳＴ８：
制御部１０は、記憶部８に記憶された表示部７の輝度設定情報を参照する。
【００３２】
ステップＳＴ９：
制御部１０は、表示部７に予め設定され記憶部８に記憶された設定輝度でテレビ放送の表示を行わせる。表示形態の設定が全画面表示形態でなく、文字データがある場合には、表示部７の所定の位置に文字データを表示させる。
【００３３】
なお、上記で説明したフローチャートのステップＳＴ４において、筐体の状態を判定するのは、上述したように、制御部１０は筐体の状態によってテレビ放送の表示形態を表示形態設定にかかわらず決定するので、ステップＳＴ３において全画面表示形態に設定されていたとしても、筐体の状態がオープン状態である場合には、制御部１０は表示部７に縦長分割表示形態で表示を行わせるためである。
【００３４】
上述したように、携帯電話１００では、テレビ放送を表示部７が表示する際の表示形態の設定が予め全画面表示形態に設定されていた場合に、表示部７の輝度設定が所定の輝度以上（図４のフローチャートにおいては１０段階の輝度設定のうち６段階目以上）であった場合には、ユーザによって予め設定された輝度よりも１段階上の輝度でテレビ放送の表示を行うので、テレビ放送表示時の表示部７の視認性を向上させることができる。
また、テレビ放送を表示部７が表示する際の表示形態の設定が予め全画面表示形態に設定されていた場合に、表示部７の輝度設定が所定の輝度未満（図４のフローチャートにおいては１０段階の輝度設定のうち５段階目未満）であった場合には、ユーザによって予め設定された、高くない輝度でテレビ放送の表示を行うため、表示部７のＯＬＥＤの焼き付きを防止することができる。
【００３５】
また、テレビ放送を表示部７が表示する際の表示形態の設定が予め全画面表示形態以外（横長分割表示或いは縦長分割表示形態）である場合には、ユーザによって予め設定された、高くない輝度でテレビ放送の表示を行うため、表示部７のＯＬＥＤの焼き付きを防止することができる。
さらに、電源部９が充電中であることを充電検知部９１が検知した場合は、ユーザが長時間テレビ放送を視聴するであろうことが予測されるため、テレビ放送の表示形態によらずユーザによって予め設定された、高くない輝度でテレビ放送の表示を行い、表示部７のＯＬＥＤの焼き付きを防止することができる。
【００３６】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００３７】
上述した実施形態においては、携帯電子機器の一例として携帯電話１００について説明したが、本発明はこれには限定されない。携帯電話の他に、例えばＰＤＡ（Personal Digital Assistants）、ＰＨＳ（Personal Handyphone System）等、映像信号を表示し、筐体が複数の形態をとりうる携帯電子機器に本発明の適用が可能である。
上述した実施形態においては、表示部７にＯＬＥＤを使用する場合について説明したが、本発明はこれには限定されない。例えば、ＯＬＥＤ以外にも長時間同一の素子に同一の色を表示させた場合に素子の劣化が考えられる表示デバイス、例えば、プラズマディスプレイパネル（ＰＤＰ）等の表示デバイスを表示部として採用した携帯電子機器に対しても本発明は適用可能である。
また、上述した実施形態においては、表示部７にワンセグ放送等のテレビ放送を表示する際の処理について説明したが、本発明はこれには限定されない。例えば図示しないカメラによる動作撮影時及び撮影した動画の視聴等、画像（動画像）とそれに関連する関連情報を同一画面に表示する場合のように、映像信号とこれに関連する付加情報とを表示する携帯電子機器に対して本発明は適用可能である。
【００３８】
また、本発明においてはテレビ放送受信部２の例としてデジタル放送の受信機を示し、付加情報がテレビ放送受信部２にて取得される文字データを示しているが、これに限定されない。例えば、制御部は、テレビ放送を受信して表示する際には、テレビ放送受信部２にて選択しているチャンネルや放送局の情報を元に、通信部１にて放送局または通信事業者の運営するサーバにアクセスさせ、放送中の番組に関する文字データ（付加情報）を取得することも出来る。この方法では、例えば文字データ（付加情報）を多く送付できないアナログ放送の受信時に有効である。
上述した実施の形態では、主にテレビ放送受信部２にて取得した文字データを、付加情報表示として取り扱う例を示した。このような付加情報は、テレビ放送受信部２にてのみ取得されるものではなく、通信部１で取得する文字データや、操作ガイダンスである操作情報表示においても同様に扱われてもよい。つまり、第１表示モードでは映像表示のみ行い、第２表示モードでは、映像表示に加え、通信部１により取得した文字データや操作情報表示欄を付加情報として表示させることとなる。
【００３９】
すなわち、付加情報は、文字データに限定されない。実施例中でも僅かに触れたが、制御部は、テレビ放送を受信して表示する際には、表示部７にテレビ放送の映像と文字データを表示するだけでなく、表示中の番組に関する情報の取得を指示したり、チャンネルや音量変更を指示したりするための操作をガイダンスする操作情報表示欄（一例としては、図１（ｃ）における操作情報表示欄２１２）を文字データに合わせて表示することも可能である。この文字データと操作情報表示欄とを合わせて付加情報として扱うことも可能である。操作情報表示欄もまた、特定の背景色を有しているため、特定色を連続表示してしまうこととなり、特定領域の画素のみ劣化することを引き起こしがちであるために映像情報を表示する領域との間で劣化に差が生じ易い。しかしながら、本発明における付加情報の一つとして取り扱う（すなわち、操作情報表示欄を含む表示をしている場合を第２表示モードとし、操作情報表示欄および他の付加情報を表示していない場合を第１表示モードとする）ことにより、操作情報表示欄に対応する画素の劣化を極力防止することが出来る。
【００４０】
本発明によれば、全画面表示の場合や充電器の接続される場合を、付加情報を含んで表
示する場合に比べて明度を上げて表示する。全画面表示の時や充電機の接続される状態は、付加情報を含んで表示しているときよりもユーザがテレビを注視している可能性が高いといえる。よって、付加情報を含んで表示するときには通常設定の輝度にて表示し、付加情報を含まず表示しているときには輝度を上げて表示を行う。この制御を行うことにより、ユーザが表示への注意力を上げているときに限って輝度を上げることとなるため、有機ＥＬなどの表示デバイスにおいては、限りある有機ＥＬの各画素の寿命を、ユーザが特に表示を見るときに限定して使うことが出来る。また、付加情報をともに表示する場合に比べ全画面表示の時には全画素において特定色に固定されて長時間表示が継続することは考えづらい。よって、画素の劣化が遅い（輝度を上げた状態にて全画面使用するため、全画素の劣化具合を均一化することに貢献し、隣接する異なる領域の境界における表示明度差が生じにくくなる。）
【００４１】
また、本発明の筐体構造は、好ましい一例として２軸ヒンジを有するタイプを示したが、これに限定されず、ストレート型やスライド型、１軸タイプの折り畳み形であっても有用であることは言うまでもない。
【図面の簡単な説明】
【００４２】
【図１】図１は、携帯電話におけるテレビ放送の表示形態の具体例を説明するための図である。
【図２】図２は、携帯電話１００の内部構成の一例を示すブロック図である。
【図３】図３は、携帯電話１００の外観の一例を示す図である。
【図４】図４は、表示部７のテレビ放送表示時の制御部１０の輝度調節処理を説明するためのフローチャートである。
【符号の説明】
【００４３】
１００…携帯電話、１０１…上部筐体、１０２…下部筐体、１０３…ヒンジ部、１…通信部、２…テレビ放送受信部、３…操作部、４…音声処理部、５…スピーカ、６…マイク、７…表示部、８…記憶部、９…電源部、９１…充電検知部、１０…制御部
【図１】
2008242079.tif 000003
【図２】
2008242079.tif 000004
【図３】
2008242079.tif 000005
【図４】
2008242079.tif 000006